(57)【特許請求の範囲】
【請求項１】
先端開口に向かって先細りの円錐形ガイド穴を有するノズルを前記ガイド穴の軸心に沿って二分割し、前記分割したガイドノズルを釘打機のノーズ部の両側面先端部位へそれぞれ枢支ピンによって開閉自在に枢着し、前記枢支ピンの両端突出部に捩りコイルバネのコイル部を掛回し、前記捩りコイルバネの両端部をノーズ部とガイドノズルとに弾接させて前記一対のガイドノズルを閉鎖方向へ付勢し、釘の射出時に釘が前記一対のガイドノズルを拡開しつつ前記円錐形ガイド穴を通過するように形成した釘打機の釘ガイドに用いるばねリテーナであって、両端にフック部を有し、前記枢支ピンの両端に装着された捩りコイルバネのコイル部の外側端部に前記フック部をそれぞれ係着して前記捩りコイルバネを挟持する釘打機の釘ガイド用ばねリテーナ。
【発明の詳細な説明】
【０００１】
【発明の属する技術分野】
この発明は、釘打機の釘ガイド用ばねリテーナに関するものであり、特に、捩りコイルバネの脱落を防止する釘打機の釘ガイド用ばねリテーナに関するものである。
【０００２】
【従来の技術】
手持ち作業用釘打機には釘の姿勢を垂直に維持して射出するための釘ガイドをノーズに取付けたものがある。釘ガイドは、円錐形のガイド穴を有するノズルを軸心にそって二分割した形状の一対のガイドノズルをノーズの先端部位の前後両側面に枢着してガイドノズルの先端を開閉自在とし、ガイドノズルにそれぞれ捩りコイルバネを介装してガイドノズルを閉鎖している。
【０００３】
釘ガイドの捩りコイルバネは、２つのコイル部と両コイル部を接続するコ字形中間部、及び両コイル部から延出した直線部とを有しており、ガイドノズルを支持する枢支ピンの両端の小径突出部にそれぞれ前記コイル部を被装して枢支ピンの中間大径部を挟み、枢支ピンの脱落を防止すると同時に、前記中間部と直線部とがノーズの側面とガイドノズルの側面に弾接してガイドノズルを閉鎖方向に付勢している。
【０００４】
閉鎖した一対のガイドノズルの中心には倒立円錐形のガイド穴が上下に開通しており、ドライバによって射出される釘の姿勢を垂直に保持し、釘がガイド穴を通過する際は、釘の頭がガイドノズルの内壁面を摺擦してガイドノズルを拡開しつつ打込み対象物に打込まれる。
【０００５】
【発明が解決しようとする課題】
釘ガイドをノーズに装備した釘打機による釘打ち作業において、木材接合用Ｌ形金物の隅部の釘穴に釘を打ち込む場合等は、釘ガイドの側面が周囲の垂直面に接触し、露出している捩りコイルバネのコイル部が他物に引掛かって枢支ピンから外れ、ガイドノズルの開閉に支障を来したり、枢支ピンがピン穴から抜け落ちてガイドノズルが脱落することがある。そこで、釘ガイドからの捩りコイルバネの脱落事故を防止するために解決すべき技術的課題が生じてくるのであり、本発明は上記課題を解決することを目的とする。
【０００６】
【課題を解決するための手段】
この発明は、上記目的を達成するために提案するものであり、先端開口に向かって先細りの円錐形ガイド穴を有するノズルを前記ガイド穴の軸心に沿って二分割し、前記分割したガイドノズルを釘打機のノーズ部の両側面先端部位へそれぞれ枢支ピンによって開閉自在に枢着し、前記枢支ピンの両端突出部に捩りコイルバネのコイル部を掛回し、前記捩りコイルバネの両端部をノーズ部とガイドノズルとに弾接させて、前記一対のガイドノズルを閉鎖方向へ付勢し、釘の射出時に釘が前記一対のガイドノズルを拡開しつつ前記円錐形ガイド穴を通過するように形成した釘打機の釘ガイドに用いるばねリテーナであって、両端にフック部を有し、前記枢支ピンの両端に装着された捩りコイルバネのコイル部の外側端部に前記フック部をそれぞれ係着して前記捩りコイルバネを挟持する釘打機の釘ガイド用ばねリテーナを提供するものである。
【０００７】
【発明の実施の形態】
以下、この発明の実施の一形態を図に従って説明する。図において１は釘ガイド、２は釘ガイド用ばねリテーナである。図１乃至図３に示すように、釘ガイド１は、釘打機のノーズ３の先端に被装されるシリンダ部４と、シリンダ部４の前後両側に枢着された一対のガイドノズル５とによって構成されている。シリンダ部４の上部にはＤ形断面のロックピン６が挿通され、ロックピン６の一端部に嵌着したレバー７を回動することにより、釘打機のノーズ３へ釘ガイド１を着脱することができる。
【０００８】
シリンダ部４とガイドノズル５は枢支ピン８によって結合され、枢支ピン８はシリンダ部４とガイドノズル５のピン穴を貫通し、外部に露出する両端の小径部８ａに捩りコイルバネ９のコイル部９ａが掛回されている。捩りコイルバネ９は、２つのコイル部９ａをコ字形中間部によって接続し、両コイル部９ａの端部から延出する直線部を有し、コ字形中間部がシリンダ部４の側面に弾接し、直線部の端部がガイドノズル５の側面の縦溝に弾接してガイドノズル５を閉鎖方向に付勢している。
【０００９】
ガイドノズル５の内部には、同図に示す閉鎖状態で倒立円錐形のガイド穴５ａが形成されており、ガイド穴５ａを通過する釘を垂直姿勢に維持し、釘は頭によってガイドノズル５を拡開して射出される。
【００１０】
図４は釘ガイド用ばねリテーナ２を示し、金属バネ材或いは弾性樹脂の丸棒の両端に半円形に折曲がったフック部２ａが成形されている。両端のフック部２ａの内面間の距離は、図３に示した捩りコイルバネ９のコイル部９ａの全幅とほぼ等しく、図１乃至図３に示すように、コイル部９ａを圧縮してばねリテーナ２のフック部２ａをコイル部９ａの両側端部に引掛ければ、コイル部９ａが両側からばねリテーナ２によって挟持される。この状態ではコイル部９ａは周囲の壁面等に接触しても外側へ拡開することがなく、枢支ピン８の小径部８ａからの脱落が防止される。
【００１１】
図５は他の実施形態を示し、同図に示す釘ガイド用ばねリテーナ１１は、プレートの両端にフック部１１ａを設けてあり、フック部１１ａの対向面間の距離は、図４に示したばねリテーナ２と同一である。また、両端近傍から横方向へ円弧形に突出するガード部１１ｂが設けられており、図６及び図７に示すようにガード部１１ｂが捩りコイルバネ９のコイル部９ａの前面（釘ガイド１の先端側）に位置するように取付られる。これにより、釘ガイド１を打ち込み目標位置へ向けて前進移動する際に、コイル部９ａの前面が周囲の物体に接触することがなく、枢支ピン８からの脱落防止とともにコイル部９ａの損傷や変形も防止できる。
【００１２】
尚、この発明は上記の実施形態に限定するものではなく、この発明の技術的範囲内において種々の改変が可能であり、この発明がそれらの改変されたものに及ぶことは当然である。
【００１３】
【発明の効果】
以上説明したように、本発明の釘ガイド用ばねリテーナは、釘ガイドの側面に露出している捩りコイルバネのコイル部を両側から挟持するので、捩りコイルバネのコイル部が枢支ピンから外れることがなく、バネの外れにより枢支ピン及びガイドノズルが脱落することを防止でき、信頼性及び取扱性が向上する。
【図面の簡単な説明】
【図１】本発明の実施形態を示し、釘ガイド用ばねリテーナを装着した釘ガイドの正面図。
【図２】図１の側面図。
【図３】図１の平面図。
【図４】本発明の釘ガイド用ばねリテーナを示し、（ａ）は正面図、（ｂ）は平面図である。
【図５】本発明の他の実施形態を示し、釘ガイド用ばねリテーナの斜視図である。
【図６】図５の釘ガイド用ばねリテーナを装着した釘ガイドの部分正面図。
【図７】図５の釘ガイド用ばねリテーナを装着した釘ガイドの部分側面図。
【符号の説明】
１        釘ガイド
２        釘ガイド用ばねリテーナ
２ａ      フック部
３        ノーズ
４        シリンダ部
５        ガイドノズル
８        枢支ピン
９        捩りコイルバネ
９ａ      コイル部
１１        釘ガイド用ばねリテーナ
１１ａ      フック部
１１ｂ      ガード部
【図１】
0003550889.tif 000002
【図２】
0003550889.tif 000003
【図３】
0003550889.tif 000004
【図４】
0003550889.tif 000005
【図５】
0003550889.tif 000006
【図６】
0003550889.tif 000007
【図７】
0003550889.tif 000008